(57)【要約】【課題】ソフトウェア制御で画像転送する際に同期信号にノイズが重畳しても画像表示の乱れを低減する。【解決手段】カメラ付ドアホン子器（撮影装置）１からの入力信号から得た画像に付加表示データを合成して表示する画像インターホン機器２であり、入力信号から垂直同期信号を基にフレーム画像を復調する復調部（復調手段）３と、代替画像データを予め記憶する代替画像記憶手段と、入力信号を監視して垂直同期信号を正常に受信しているか否かを判定する判定手段と、判定手段で垂直同期信号を正常に受信していない場合に、代替画像記憶手段に記憶される代替画像データに付加表示データを合成して画面表示を行う画像合成表示手段とを備える。【選択図】図１
2005223639.tif 000002
【特許請求の範囲】
【請求項１】
撮影装置からの入力信号から得た画像に付加表示データを合成して表示する画像インターホン機器であって、
前記入力信号から垂直同期信号を基にフレーム画像を復調する復調手段と、
代替画像データを予め記憶する代替画像記憶手段と、
前記入力信号を監視して前記垂直同期信号を正常に受信しているか否かを判定する判定手段と、
前記判定手段で前記垂直同期信号を正常に受信していない場合に、前記代替画像記憶手段に記憶される前記代替画像データに付加表示データを合成して画面表示を行う画像合成表示手段とを備えることを特徴とする画像インターホン機器。
【請求項２】
撮影装置からの入力信号から得た画像に付加表示データを合成して表示する画像インターホン機器であって、
前記入力信号から垂直同期信号を基にフレーム画像を復調する復調手段と、
前記入力信号を監視して前記垂直同期信号を正常に受信しているか否かを判定する判定手段と、
前記判定手段で前記垂直同期信号を正常に受信している場合に、前記フレーム画像１フレーム分を記憶更新する画像記憶更新手段と、
前記判定手段で前記垂直同期信号を正常に受信していない場合に、前記画像記憶更新手段に記憶される前記フレーム画像に付加表示データを合成して画面表示を行う画像合成表示手段とを備えることを特徴とする画像インターホン機器。
【請求項３】
オンスクリーンディスプレイ手段と、
表示手段とを備え、
前記オンスクリーンディスプレイ手段において、撮影装置からの入力信号から得た画像に付加表示データを合成して前記表示手段に表示する画像インターホン機器であって、
前記入力信号から垂直同期信号を基にフレーム画像を復調する復調手段と、
前記垂直同期信号を受信した場合に、前記フレーム画像の前記オンスクリーンディスプレイ手段への転送時のライン数が設定ライン数であるか否かを判定するライン数判定手段と、
前記ライン数判定手段で前記転送時のライン数が前記設定ライン数になっていない場合に、前記フレーム画像の転送を禁止し次のフレーム画像の転送を開始する禁止手段とを備えることを特徴とする画像インターホン機器。
【発明の詳細な説明】
【技術分野】
【０００１】
本発明は、例えば、撮影装置からの画像に付加表示データを合成して表示する画像インターホン機器に関するものである。
【背景技術】
【０００２】
従来、この種の画像インターホン機器は、種々提案されまた市販されている。例えば、ドアホン映像を表示するシステムがあり、図１を実施形態１と兼用して上記システムについて説明する。画像インターホン機器２は、カメラ付ドアホン子器１と接続し、カメラ付ドアホン子器１からＦＭ映像信号を入力し、復調部３は、そのＦＭ映像信号をＮＴＳＣ信号に復調し、そのＮＴＳＣ信号からデジタルデータ及び同期信号（垂直同期信号及び水平同期信号）を検出する。
【０００３】
ソフトウェアＯＳＤ（Ｏｎ  Ｓｃｒｅｅｎ  Ｄｉｓｐｌａｙ）部５は、キャプチャ／表示ＬＳＩ４（図２（実施形態１と兼用）参照）を介して復調部３から上記デジタルデータを入力する。ソフトウェアＯＳＤ部５は、図３（実施形態１と兼用）に示すように、キャプチャ／表示ＬＳＩ４からデジタルデータを画像入力バッファ５１に転送し、ソフトウェアＯＳＤ部５に、キャプチャ／表示ＬＳＩ４から垂直同期信号が受信されると、図４（実施形態１と兼用）に示すように、画像入力バッファ５１のバッファ５１ａ〜５１ｃのローテーション、及び、画像出力バッファ５３へデジタルデータの転送を行う（図４の左側から中央）。画像出力バッファ５３では、図３に示すように、画像入力バッファ５１から転送されたデジタルデータに、ＯＳＤ・グラフィック生成バッファ５２からの付加表示データ（ＯＳＤ・グラフィック情報）を合成（オーバーラップ）し、キャプチャ／表示ＬＳＩ４に転送する。
【０００４】
そして、付加表示データが合成されたデジタルデータは付加表示付きＮＴＳＣ信号に変換され、図１に示すように、その付加表示付きＮＴＳＣ信号を基に、カメラ付ドアホン子器１で撮影された画像と付加表示がＬＣＤ表示回路６１の中のディスプレイに表示される。
【０００５】
また、カメラ付ドアホン子器１からのＦＭ映像信号は、副親機８にも伝送される。親機である画像インターホン機器２と副親機８との違いは、画像インターホン機器２ではソフトウェアＯＳＤ部５を用いているのに対し、副親機８ではハードウェアＯＳＤ部８０を用いていることである。副親機８では、復調部３により、入力されたＦＭ映像信号を復調したＮＴＳＣ信号からデジタルデータ及び同期信号が検出される。ハードウェアＯＳＤ部８０は、上記デジタルデータ及び同期信号を入力し、デジタルデータに付加表示データを合成する。親機である画像インターホン機器２の場合と同様にして、付加表示データが合成されたデジタルデータは付加表示付きＮＴＳＣ信号に変換され、その付加表示付きＮＴＳＣ信号を基に、カメラ付ドアホン子器１で撮影された画像と付加表示をＬＣＤ表示回路６１に出力し、ＬＣＤ表示回路６１にて表示される。
【０００６】
上記画像インターホン機器２は、復調部３に含まれているＮＴＳＣ信号の同期分離回路（例えばＮＴＳＣデコーダ３１（図２参照）など）が、例えばグランド（接地）、電灯線などからのノイズにより不動作となり、垂直同期信号若しくは水平同期信号がＮＴＳＣデコーダ３１（図２参照）から出力されない（同期信号のヌケ）という現象が発生する。上記ノイズに対する性能を向上させることは困難であり、ソフトウェアＯＳＤ部５では以下の対策をとっている。上記の現象により、ソフトウェアＯＳＤ部５に垂直同期信号が正常に受信されなかった場合（垂直同期信号ヌケ発生）、ソフトウェアＯＳＤ部５は、図４に示すように、画像入力バッファ５１のバッファ５１ａ〜５１ｃのローテーション、及び、画像出力バッファ５３へデジタルデータの転送を停止する（図４の右側）。
【０００７】
画像インターホン機器２及び副親機８において、上記ノイズにより、垂直同期信号が正常に受信されなかった場合（垂直同期信号ヌケ発生）、画面フラッシュが発生する。また、ハードウェアＯＳＤ部８０を用いる副親機８においては、正常時は、例えば図８（ａ）に示すような訪問者と自動車を撮影した原画像をそのまま正常表示画像として表示する。しかし、水平同期信号ヌケが発生した場合、ハードウェアＯＳＤ部８０を用いると、図８（ｂ）のように、１ラインの情報が欠落してノイズ（図８（ｂ）の黒線部分）が発生し、水平同期信号ヌケが発生するたびに、１ラインのノイズが加わった画像が表示される。なお、図８（ｂ）の画像のうち、水平同期信号ヌケが発生していない部分は、図８（ａ）と同じ位置に表示される。
【０００８】
なお、特許文献１には、カメラ付ドアホン子器によって撮像される映像にノイズが混入しているかどうかによって、この映像が録画可能かを判断して、録画可能と判断した映像を静止画として録画する録画機能付きインターホンが開示されている。これにより、信号線を通る映像にノイズが混入したとしても、正常な静止画像のみを録画することができる。
【特許文献１】特開２００３−９１３９号公報（第２頁−第３頁、及び、第２図）
【発明の開示】
【発明が解決しようとする課題】
【０００９】
しかしながら、上記従来の画像インターホン機器などは、上記ノイズ発生などによりＮＴＳＣ信号の同期分離回路が不動作となるので、以下のような問題があった。ソフトウェアＯＳＤ部５に垂直同期信号が正常に受信されなかった場合（垂直同期信号ヌケ時）、ソフトウェアＯＳＤ部５の画像出力バッファ５３は、図７（ｂ）に示すように、画像入力バッファ５１からのデジタルデータの転送が停止するので、点線矢印のように、出力時の垂直同期信号に同期して、付加表示データが合成されたデジタルデータを含めた３つのバッファ５３ｂ〜５３ｄの縮小された範囲でバッファローテーションが行われ、バッファ５３ｂ〜５３ｄに記憶されている３画面分のデジタルデータを順次切り替えて転送する構成となる。このため、画像インターホン機器２のＬＣＤ表示回路６１（図１参照）のディスプレイには、複数の画面（図７（ｂ）では３画面分）の繰り返し表示が発生するという問題があった。
【００１０】
また、ソフトウェアＯＳＤ部５に水平同期信号が正常に受信されなかった場合（水平同期信号ヌケ時）、図６（実施形態３と兼用）に示すように、画像入力バッファ５１（図１参照）には、本来の転送完了位置（図６の「本来の完了位置」）でデータ転送が完了せず、次フレーム画像のデータの一部も転送し、図６の「実際の完了位置」で転送を完了してしまう。そして、水平同期信号ヌケが発生するたびに本来の完了位置と実際の完了位置とのズレが蓄積され、図８（ｃ）に示すように、欠落したラインに次のラインを繰り上げたことによる画像のズレ（図８（ｃ）の点線部分）が発生し、画面の下部には、次フレームの画像（図８（ｃ）のＡ−Ｂ間）の先頭ラインも表示されるといった問題もあった。
【００１１】
本発明は上記の点に鑑みて為されたものであり、その目的とするところは、ソフトウェア制御で画像転送する際に同期信号にノイズが重畳しても画像表示の乱れを低減することができる画像インターホン機器を提供することにある。
【課題を解決するための手段】
【００１２】
請求項１に記載の発明は、撮影装置からの入力信号から得た画像に付加表示データを合成して表示する画像インターホン機器であって、前記入力信号から垂直同期信号を基にフレーム画像を復調する復調手段と、代替画像データを予め記憶する代替画像記憶手段と、前記入力信号を監視して前記垂直同期信号を正常に受信しているか否かを判定する判定手段と、前記判定手段で前記垂直同期信号を正常に受信していない場合に、前記代替画像記憶手段に記憶される前記代替画像データに付加表示データを合成して画面表示を行う画像合成表示手段とを備えることを特徴とする。
【００１３】
この構成では、入力信号から垂直同期信号が正常に受信されない場合に、代替画像データの画像を固定画像として表示し、複数のフレーム画像による繰り返し表示を防止することができるので、画像表示の乱れを低減することができる。
【００１４】
請求項２に記載の発明は、撮影装置からの入力信号から得た画像に付加表示データを合成して表示する画像インターホン機器であって、前記入力信号から垂直同期信号を基にフレーム画像を復調する復調手段と、前記入力信号を監視して前記垂直同期信号を正常に受信しているか否かを判定する判定手段と、前記判定手段で前記垂直同期信号を正常に受信している場合に、前記フレーム画像１フレーム分を記憶更新する画像記憶更新手段と、前記判定手段で前記垂直同期信号を正常に受信していない場合に、前記画像記憶更新手段に記憶される前記フレーム画像に付加表示データを合成して画面表示を行う画像合成表示手段とを備えることを特徴とする。
【００１５】
この構成では、入力信号から垂直同期信号が正常に受信されない場合に、画像記憶更新手段に記憶されている正常な画像を固定画像として表示し、複数のフレーム画像による繰り返し表示を防止することができるので、画像表示の乱れを低減することができる。
【００１６】
請求項３に記載の発明は、オンスクリーンディスプレイ手段と、表示手段とを備え、前記オンスクリーンディスプレイ手段において、撮影装置からの入力信号から得た画像に付加表示データを合成して前記表示手段に表示する画像インターホン機器であって、前記入力信号から垂直同期信号を基にフレーム画像を復調する復調手段と、前記垂直同期信号を受信した場合に、前記フレーム画像の前記オンスクリーンディスプレイ手段への転送時のライン数が設定ライン数であるか否かを判定するライン数判定手段と、前記ライン数判定手段で前記転送時のライン数が前記設定ライン数になっていない場合に、前記フレーム画像の転送を禁止し次のフレーム画像の転送を開始する禁止手段とを備えることを特徴とする。
【００１７】
この構成では、入力信号から垂直同期信号を受信したときに、オンスクリーンディスプレイ手段への転送時のフレーム画像のライン数が設定ライン数でない場合、そのフレーム画像の転送を禁止し次のフレーム画像の転送を開始することで表示時の画像のズレを複数のフレーム画像に及ぶことを防止することができるので、画像表示の乱れを低減することができる。
【発明の効果】
【００１８】
本発明によれば、ソフトウェア制御で画像転送する際に同期信号にノイズが重畳しても画像表示の乱れを低減することができる。
【発明を実施するための最良の形態】
【００１９】
（実施形態１）
先ず、実施形態１の基本的な構成について図１〜図５を用いて説明する。実施形態１の画像インターホン機器は、垂直同期信号が正常に受信されない場合に用いられる代替画面データを備えるものである。図１はドアホン映像を表示するシステムの構成図であり、カメラ付ドアホン子器（撮影装置）１と親機である画像インターホン機器２とが接続され、カメラ付ドアホン子器１の撮影映像を画像インターホン機器２にて表示するシステムである。
【００２０】
カメラ付ドアホン子器１は、例えば、カメラで撮影した画像（ドアホン映像）の映像信号（入力信号）をＦＭ映像信号に変調し、そのＦＭ映像信号を画像インターホン機器２に出力する。
【００２１】
画像インターホン機器２は、図２に示すように、復調部（復調手段）３、キャプチャ／表示ＬＳＩ４、ソフトウェアＯＳＤ部５、表示部６、転送部７を備え、カメラ付ドアホン子器１からＦＭ映像信号を入力する。上記ＦＭ映像信号は復調部３及び転送部７に伝送される。
【００２２】
復調部３は、例えばＦＭ復調回路３０及びＮＴＳＣデコーダ３１からなる。ＦＭ復調回路３０は、上記ＦＭ映像信号をカメラ付ドアホン子器１から入力し、そのＦＭ映像信号をＮＴＳＣ信号に復調（ＦＭ復調）する。この復調されたＮＴＳＣ信号はＮＴＳＣデコーダ３１に入力される。
【００２３】
ＮＴＳＣデコーダ３１は、そのＮＴＳＣ信号をアナログ信号からデジタル信号に変換するとともに、このデジタル信号からデジタルデータと、垂直同期信号及び水平同期信号（以下「同期信号」という）とを分離・検出し、デジタルデータ及び同期信号をキャプチャ／表示ＬＳＩ４に出力する。デジタルデータは、同期信号を基にフレーム画像を形成するように出力される。ＮＴＳＣの場合、１秒間に３０フレームが表示される。１つのフレームは偶数フィールド及び奇数フィールドからなり、１つのフィールドは５２５本のライン（走査線）を有する。また、垂直同期信号はフィールド単位で発生し、水平同期信号はライン単位で発生する。なお、水平同期信号のヌケを検出するには、カウンタなどを設ける手段があるが、それにより回路構成が複雑になり、高コストになるので実用的とはいえない。
【００２４】
キャプチャ／表示ＬＳＩ４は、ＮＴＳＣデコーダ３１からデジタルデータ及び同期信号を入力し、これらの信号をソフトウェアＯＳＤ部５に転送するとともに、ソフトウェアＯＳＤ部５からの信号を入力し、この信号を後述するＮＴＳＣエンコーダ６０に転送する。
【００２５】
ソフトウェアＯＳＤ部５は、図３に示すように、例えばＣＰＵ５０、画像入力バッファ５１、ＯＳＤ・グラフィック生成バッファ５２、画像出力バッファ５３、代替画像バッファ（代替画像記憶手段）５４を備える。ソフトウェアＯＳＤ部５のＣＰＵ５０は、キャプチャ／表示ＬＳＩ４からのデジタルデータの入力（キャプチャ入力）時の垂直同期信号（以下「入力時の垂直同期信号」という）が正常に受信しているか否かを判定する（判定手段）とともに、画像入力バッファ５１、ＯＳＤ・グラフィック生成バッファ５２、画像出力バッファ５３、代替画像バッファ５４の制御を行うとともに、ＤＭＡ転送機能を用いて、デジタルデータ及び同期信号をキャプチャ／表示ＬＳＩ４から画像入力バッファ５１に転送する（画像キャプチャ動作）ための制御、及び、後述する付加表示付きデジタルデータ及び同期信号を画像出力バッファ５３からキャプチャ／表示ＬＳＩ４に転送する制御を行う。ＤＭＡ転送機能を用いると、キャプチャ／表示ＬＳＩ４と画像入力バッファ５１との間、及び、画像出力バッファ５３とキャプチャ／表示ＬＳＩ４との間の転送速度が向上するとともに、ＣＰＵ５０の負担を低減することができる。
【００２６】
画像入力バッファ５１は、例えばＳＤＲＡＭ（Ｓｙｎｃｈｒｏｎｏｕｓ  ＤＲＡＭ）などに、転送（入力）中バッファ、転送（入力）済バッファ、転送中バッファからなる３つのバッファ５１ａ〜５１ｃで構成される。それぞれのバッファ５１ａ〜５１ｃは、キャプチャ／表示ＬＳＩ４からのデジタルデータを１画面（フレーム）分記憶保持するので、画像入力バッファ５１としては、３画面（フレーム）分のデジタルデータを記憶保持する。
【００２７】
ソフトウェアＯＳＤ部５がキャプチャ／表示ＬＳＩ４からのデジタルデータの転送の完了（図４の「データ転送完了」）を検出するとともに、入力時の垂直同期信号が正常に受信された場合、ＣＰＵ５０の高速なＣＰＵ演算処理を用いたソフトウェアによるＯＳＤ機能により、転送（入力）中バッファ（５１ａ）にはキャプチャ／表示ＬＳＩ４からデジタルデータが転送され、転送（入力）済バッファ（５１ｂ）ではデジタルデータを記憶保持しておき、転送中バッファ（５１ｃ）ではデジタルデータ（キャプチャ入力済みデータ）をフレーム単位で画像出力バッファ５３に転送する。そのときに、図４に示すように、ＣＰＵ５０により、入力時の垂直同期信号に同期して、バッファ５１ａ〜５１ｃのローテーションが行われる。例えば、それぞれのバッファ５１ａ〜５１ｃを、図４の左側に示すように、バッファ５１ａが転送（入力）中バッファ、バッファ５１ｂが転送（入力）済バッファ、バッファ５１ｃが転送中バッファとする。バッファ５１ａ〜５１ｃのローテーションが行われると、図４の中央のように、バッファ５１ａは転送（入力）済バッファ、バッファ５１ｂは転送中バッファ、バッファ５１ｃはデジタルデータを画像出力バッファ５３に転送した後に転送（入力）中バッファとなる。
【００２８】
上記のようなバッファ５１ａ〜５１ｃのローテーションを繰り返すことでデジタルデータをキャプチャ／表示ＬＳＩ４から画像出力バッファ５３に連続して転送することができる。
【００２９】
これに対して、ソフトウェアＯＳＤ部５に入力時の垂直同期信号が正常に受信されない場合（垂直同期信号ヌケ時）、画像入力バッファ５１は、図４の右側に示すように、バッファ５１ａ〜５１ｃのローテーション、画像出力バッファ５３へのデジタルデータの転送を停止する。
【００３０】
ＯＳＤ・グラフィック生成バッファ５２は、図３に示すように、例えばＯＳＤ・グラフィック情報などの付加表示データを記憶する描画中バッファ、デジタルデータに合成する付加表示データを記憶する合成中バッファからなる２つのバッファ５２ａ，５２ｂで構成される。バッファ５２ａ，５２ｂは、出力時の垂直同期信号に同期している。付加表示データには、例えばＯＳＤ情報であり、ＯＳＤ情報には、後述するＬＣＤ表示回路６１に表示されるために、調整項目、各調整の設定レベル、機能のオン／オフなど画像インターホン機器２の状況に関する情報などが含まれ、操作のインターフェースとなる。
【００３１】
代替画像バッファ５４は、カメラ付ドアホン子器１の撮影画像とは別に、予め代替画像データを記憶保持している。ソフトウェアＯＳＤ部５に、入力時の垂直同期信号が正常に受信されない場合（垂直同期信号ヌケ時）、上記代替画像データを画像出力バッファ５３に転送する。代替画面データは、画像入力バッファ５１から画像出力バッファ５３に転送されるデジタルデータと同じ規格に沿った信号であり、画像出力バッファ５３に転送された後も同様に扱うことができる。
【００３２】
画像出力バッファ５３は、例えば画像入力バッファ５１と同様のＳＤＲＡＭなどに、転送中バッファ、ＯＳＤ合成中バッファ、ＯＳＤ合成後（出力待）バッファ、出力中バッファからなる４つのバッファ５３ａ〜５３ｄで構成される。それぞれのバッファ５３ａ〜５３ｄは、１画面（フレーム）分のデジタルデータを記憶保持し、画像出力バッファ５３としては、４画面（フレーム）分のデジタルデータを記憶保持する。
【００３３】
ソフトウェアＯＳＤ部５に、入力時の垂直同期信号が正常に受信されている場合、その入力時の垂直同期信号に同期して、ＣＰＵ５０の高速なＣＰＵ演算処理を用いたソフトウェアによるＯＳＤ機能により、画像入力バッファ５１から転送中バッファ（５３ａ）にデジタルデータがフレーム単位で転送され、ＯＳＤ合成中バッファ（５３ｂ）ではデジタルデータに付加表示データを合成し、ＯＳＤ合成後（出力待）バッファ（５３ｃ）では付加表示付きデジタルデータを記憶保持する。そして、出力時の垂直同期信号に同期して、出力中バッファ（５３ｄ）ではデジタルデータをキャプチャ／表示ＬＳＩ４に転送する。また、ＣＰＵ５０により、入力時の垂直同期信号に同期して、バッファ５３ａ〜５３ｄのローテーションが行われる。例えば、それぞれのバッファ５３ａ〜５３ｄを、図３に示すように、バッファ５３ａが転送中バッファ、バッファ５３ｂがＯＳＤ合成中バッファ、バッファ５３ｃが合成済（出力待）バッファ、バッファ５３ｄが出力中バッファとする。バッファ５３ａ〜５３ｄのローテーションが行われると、バッファ５３ａはＯＳＤ合成中バッファ、バッファ５３ｂは合成済（出力待）バッファ、バッファ５３ｃは出力中バッファ、バッファ５３ｄはデジタルデータをキャプチャ／表示ＬＳＩ４に転送した後に転送中バッファとなる。なお、出力中バッファからキャプチャ／ＬＳＩ４へのデジタルデータの転送は、出力時の垂直同期信号に同期して行われる。
【００３４】
上記のようなバッファ５３ａ〜５３ｄのローテーションを繰り返すことで付加表示データを合成したデジタルデータをキャプチャ／表示ＬＳＩ４に連続して転送することができる。
【００３５】
これに対して、ソフトウェアＯＳＤ部５に、入力時の垂直同期信号が正常に受信されない場合（垂直同期信号ヌケ時）、画像入力バッファ５１からのデジタルデータの転送が停止されるので、ＣＰＵ５０により、図５に示すように、出力時の垂直同期信号に同期して、転送中バッファ（５３ａ）には代替画像バッファ５４から代替画像データが呼び出され格納される。また、バッファローテーションを行わずに、ＯＳＤ合成中バッファ（５３ｂ）では転送中バッファ（５３ａ）の代替画面データが転送される。このとき転送中バッファ（５３ａ）は代替画面データをそのまま記憶保持した状態である。ＯＳＤ合成中バッファ（５３ｂ）では、代替画面データにそのときの状況に応じた最新の付加表示データを合成する。合成済（出力待）バッファ（５３ｃ）ではＯＳＤ合成中バッファ（５３ｂ）の付加表示付き代替画面データが転送される。出力中バッファ（５３ｄ）では合成済（出力待）バッファ（５３ｃ）の付加表示付き代替画面データが転送される。そして、出力中バッファ（５３ｄ）からキャプチャ／表示ＬＳＩ４に付加表示付き代替画面データを転送する。
【００３６】
上記のバッファ５３ａ〜５３ｄの動作を繰り返すことにより、代替画面データを固定出力しながら最新の付加表示データを順次合成しその付加表示付きデジタルデータをキャプチャ／表示ＬＳＩ４に転送することができる。
【００３７】
表示部６は、図２に示すように、例えばＮＴＳＣエンコーダ６０、ＬＣＤ表示回路６１からなり、画像表示動作を行う。ＮＴＳＣエンコーダ６０は、キャプチャ／表示ＬＳＩ４から付加表示付きデジタルデータ及び同期信号を順次入力し、それらの信号を付加表示付きＮＴＳＣ信号に変換し、その付加表示付きＮＴＳＣ信号をＬＣＤ表示回路６１に出力する。ＬＣＤ表示回路６１は、例えばＬＣＤなどの表示画面（図示せず）を備え、上記付加表示付きＮＴＳＣ信号を入力し、ソフトウェアＯＳＤ部５に、入力時の垂直同期信号が正常に受信された場合は、カメラ付ドアホン子器１（図１参照）の撮影画像（ドアホン映像）に付加表示を合成した画像を表示画面（図示せず）に表示し、ソフトウェアＯＳＤ部５に、入力時の垂直同期信号が正常に受信されなかった場合は、代替画面に付加表示を合成した画像を表示画面（図示せず）に表示する。
【００３８】
転送部７は、例えばＦＭ変調回路７０、切換部７１からなり、副親機８（図１参照）などに信号を転送する。ＦＭ変調回路７０は、ＮＴＳＣエンコーダ６０から付加表示付きＮＴＳＣ信号を入力しその付加表示付きＮＴＳＣ信号を付加表示付きＦＭ映像信号に変調する。切換部７１は、ＦＭ変調回路７０からの付加表示付きＦＭ映像信号又はカメラ付ドアホン子器１（図１参照）からのＦＭ映像信号のいずれかを選択して副親機８に転送する。
【００３９】
次に、データ転送を行っているときに、ソフトウェアＯＳＤ部５に、入力時の垂直同期信号が正常に受信されない場合における、実施形態１の画像インターホン機器の動作について説明する。図２に示すように、先ず、ＦＭ復調回路３０がカメラ付ドアホン１（図１参照）からＦＭ映像信号を入力しＮＴＳＣ信号に復調し、ＮＴＳＣデコーダ３１が上記ＮＴＳＣ信号をデジタルデータと同期信号に分離して、キャプチャ／表示ＬＳＩ４に出力する。
【００４０】
ソフトウェアＯＳＤ部５は、入力時の垂直同期信号に同期して、キャプチャ／ＬＳＩ４から画像入力バッファ５１の転送（入力）中バッファにデジタルデータの転送を開始する。この転送中に、上記入力時の垂直同期信号が正常に受信されなくなると、画像入力バッファ５１は、図４に示すように、バッファ５１ａ〜５１ｃのローテーションを停止し、画像出力バッファ５３へのデジタルデータの転送を停止する（図４の右側）。これにより、画像出力バッファ５３は、図５に示すように、代替画面バッファ５４から代替画面データが転送中バッファ（５３ａ）に呼び出され格納される。この代替画面データは、転送中バッファ（５３ａ）に記憶保持されながら、ＯＳＤ合成中バッファ（５３ｂ）、合成済（出力待）バッファ（５３ｃ）、出力中バッファ（５３ｄ）の順に転送され、最新の付加表示データを合成されたデジタルデータとしてキャプチャ／表示ＬＳＩ４に転送される。
【００４１】
この付加表示付きデジタルデータは、図２に示すように、ＮＴＳＣエンコーダ６０で付加表示付きＮＴＳＣ信号に変調され、この付加表示付きＮＴＳＣ信号を基に、ＬＣＤ表示回路６１に付加表示と固定画面が表示される。このとき、最新の付加表示が以前の付加表示と二重、三重に重ねられて表示されるようなことがなくなる。
【００４２】
以上、実施形態１によれば、ソフトウェアＯＳＤ部５に、入力時の垂直同期信号が正常に受信されない場合に、代替画像データの画像を固定画像とし、その固定画像に最新の付加表示データを合成して表示するので、複数のフレーム画像による繰り返し表示を防止することができる。これにより、画像表示の乱れを低減することができる。また、代替画面データに最新の付加表示データを合成していくので、代替画面を表示しながら付加表示のみを更新することができる。
【００４３】
なお、実施形態１の変形例として、代替画像データを、ＬＣＤ表示回路の表示画面にブラックバック画像を表示するためのブラックバックデータとしてもよい。
【００４４】
（実施形態２）
実施形態２は、復調部３、キャプチャ／表示ＬＳＩ４、ソフトウェアＯＳＤ部５、表示部６、転送部７を備える点で実施形態１と同様であるが、実施形態１にはない以下に記載の特徴部分がある。実施形態２では、代替画像バッファ５４（図３参照）を廃止し、ソフトウェアＯＳＤ部５に、画像入力バッファ５１、ＯＳＤ・グラフィック生成バッファ５２、画像出力バッファ５３を備え、ソフトウェアＯＳＤ部５に、入力時の垂直同期信号が正常に受信されない場合（垂直同期信号ヌケ時）に、ソフトウェアＯＳＤ部５は、図５に示すように、画像出力バッファ５３の転送中バッファ（画像記憶更新手段）に記憶されている正常に画像入力バッファ５１から転送された最後のデジタルデータを固定出力し、その最後のデジタルデータに付加表示データを合成しそれを付加表示付きデジタルデータとしてキャプチャ／表示ＬＳＩ４に転送する。
【００４５】
次に、実施形態２の画像インターホン機器の動作について実施形態１と異なる点を説明する。図２に示すソフトウェアＯＳＤ部５が、入力時の垂直同期信号に同期して、キャプチャ／ＬＳＩ４から画像入力バッファ５１の転送（入力）中バッファにデジタルデータを転送している途中で、上記入力時の垂直同期信号が正常に受信されなくなると、画像入力バッファ５１による画像出力バッファ５３へのデジタルデータの転送を停止し（図４参照）、画像出力バッファ５３は、図５に示すように、バッファローテーションを行わず、転送中バッファ（５３ａ）に記憶保持されているデジタルデータを、転送中バッファ（５３ａ）にそのまま記憶保持しながら、ＯＳＤ合成中バッファ（５３ｂ）、合成済（出力待）バッファ（５３ｃ）、出力中バッファ（５３ｄ）の順に転送され、最新の付加表示データを合成されたデジタルデータとしてキャプチャ／表示ＬＳＩ４に転送される。この付加表示付きデジタルデータを基にした画像が、実施形態１と同様にして表示される。
【００４６】
以上、実施形態２によれば、ソフトウェアＯＳＤ部５に、入力時の垂直同期信号が正常に受信されない場合に、画像出力バッファ５３に転送された最後の正常なデジタルデータの画像を固定画像とし、その固定画像に最新の付加表示データを合成して表示するので、複数のフレーム画像による繰り返し表示を防止することができる。これにより、画像表示の乱れを低減することができる。また、最後の正常なデジタルデータに最新の付加表示データを合成していくので、同期乱れ発生直前のドアホン画面を固定画像として表示しながら付加表示のみを更新することができる。
【００４７】
なお、実施形態１又は２の変形例として、ソフトウェアＯＳＤ部に、入力時の垂直同期信号が正常に受信されない場合、ＣＰＵは、転送（入力）中バッファに画像情報を含まないことを意味するｎｕｌｌデータをデジタルデータとして転送してもよい。このようにすると、デジタルデータを画像入力バッファから画像出力バッファに転送するときに、ＣＰＵはこのｎｕｌｌデータを確認することができるので、垂直同期信号の異常をより確実に検出することができる。
【００４８】
（実施形態３）
実施形態３は、復調部３、キャプチャ／表示ＬＳＩ４、ソフトウェアＯＳＤ部５、表示部６、転送部７を備える点で実施形態１と同様であるが、実施形態１にはない以下に記載の特徴部分がある。実施形態３では、ソフトウェアＯＳＤ部５は、代替画像バッファ５４（図３参照）を廃止し、画像入力バッファ５１、ＯＳＤ・グラフィック生成バッファ５２、画像出力バッファ５３を備え、垂直同期信号に同期した割込み及びＤＭＡ転送機能により転送されるデジタルデータのライン数をソフトウェアにて検出する。
【００４９】
ソフトウェアＯＳＤ部５は、入力時の垂直同期信号が正常に受信されたときに、ＣＰＵ５０により、キャプチャ／表示ＬＳＩ４から画像入力バッファ５１の転送（入力）中バッファに転送中のデジタルデータにおいて、ＤＭＡ転送機能で既に転送されたライン数を検出し、そのライン数と設定ライン数との比較により、最終ライン若しくは転送完了状態になっているか否かを確認する。確認の結果、最終ライン若しくは転送完了状態の場合、そのままデジタルデータの転送を継続する。これに対して、最終ライン、転送完了状態のいずれでもない場合、つまり、図６に示す水平同期信号ヌケなどにより一部のデジタルデータの転送が行われず、転送完了位置のズレを検出し、図６の「本来の完了位置」で完了できない状態の場合、ソフトウェアＯＳＤ５（図３参照）は、キャプチャ／表示ＬＳＩ４（図３参照）からの現在のフレームに対応するデジタルデータの転送を中止し、図６の「新規転送開始」に相当する次フレームに対応するデジタルデータの転送を設定する。
【００５０】
また、ノイズにより本来の水平同期信号間に水平同期信号の偽物が発生した場合であっても、上記確認の結果、転送完了位置のズレを確認するので、現在のフレームに対応するデジタルデータの転送を中止し、次フレームに対応するデジタルデータの転送を設定する。
【００５１】
以上、実施形態３によれば、ソフトウェアＯＳＤ部５に、入力時の垂直同期信号を正常に受信したときに、最終ライン、転送完了状態のいずれでもない場合、現在のフレーム画像に対応するデジタルデータの転送を中止し次フレームに対応するデジタルデータの転送を開始するので、表示時の画像のズレが複数の画像に及ぶことを防止することができる。これにより、画像表示の乱れを低減することができる。
【００５２】
なお、実施形態１又は２の変形例として、ソフトウェアＯＳＤ部５に、入力時の垂直同期信号が正常に受信されたときに、ＣＰＵ５０により、キャプチャ／表示ＬＳＩ４から画像入力バッファ５１の転送（入力）中バッファに転送中のデジタルデータにおいて既に転送されたライン数を検出し、そのライン数と設定ライン数との比較により、最終ライン若しくは転送完了状態になっているか否かを確認し、最終ライン、転送完了状態のいずれでもない場合に、現在のフレームに対応するデジタルデータの転送を中止し、次フレームに対応するデジタルデータの転送を設定する手段を追加してもよい。このようにすると、ソフトウェアＯＳＤ部５に、入力時の垂直同期信号が正常に受信されたときは、画像のズレを複数のフレーム画像に及ぶことを防止することができるとともに、入力時の垂直同期信号が正常に受信されないときは、固定画像を表示して複数のフレーム画像の繰り返し表示を防止することができ、さらに画像表示の乱れを低減することができる。
【図面の簡単な説明】
【００５３】
【図１】本発明による実施形態１の画像インターホン機器を含むドアホン映像を表示するシステムの構成図である。
【図２】同上の画像インターホン機器の構成図である。
【図３】同上のソフトウェアＯＳＤ部の動作図である。
【図４】同上の画像入力バッファの動作図である。
【図５】同上の画像出力バッファの動作図である。
【図６】本発明による実施形態３の画像インターホン機器におけるデータ転送を示す図である。
【図７】従来の画像インターホン機器における表示出力バッファの動作図である。
【図８】同上の画像インターホン機器により表示される画像であって、（ａ）は正常な場合の図、（ｂ）はハードウェアＯＳＤ部に水平同期信号が正常に受信されない場合の図、（ｃ）はソフトウェアＯＳＤ部に水平同期信号が正常に受信されない場合の図である。
【符号の説明】
【００５４】
１  カメラ付ドアホン子器
２  画像インターホン機器
３  復調部
３０  ＦＭ復調回路
３１  ＮＴＳＣデコーダ
４  キャプチャ／表示ＬＳＩ
５  ソフトウェアＯＳＤ部
５０  ＣＰＵ
５１  画像入力バッファ
５２  ＯＳＤ・グラフィック生成バッファ
５３  画像出力バッファ
５４  代替画像バッファ
６  表示部
６０  ＮＴＳＣエンコーダ
６１  ＬＣＤ表示回路
【図１】
2005223639.tif 000003
【図２】
2005223639.tif 000004
【図３】
2005223639.tif 000005
【図４】
2005223639.tif 000006
【図５】
2005223639.tif 000007
【図６】
2005223639.tif 000008
【図７】
2005223639.tif 000009
【図８】
2005223639.tif 000010